(57)【要約】  【課題】  電子部品の発した熱をパッケージの外部や大気中に良好に放散させ、パッケージの固定が容易で内部の気密信頼性を低下させることがない電子部品収納用パッケージおよび電子装置を提供すること。  【解決手段】  電子部品収納用パッケージは、上面の中央部に電子部品５の搭載部１ｅを有する平板状の放熱部材１と、放熱部材１の上面に搭載部１ｅを取り囲んで取着された、複数の配線導体２ａを有する枠体２とを具備しており、放熱部材１は、平板状の基体１ａと、基体１よりも熱膨張係数および熱伝導率が大きくかつ縦弾性係数が小さい材料から成る、１ａの上面から側面にかけて形成された上部金属層１ｃおよび基体１ａの下面に接合された下部金属板１ｂとから成り、下部金属板は、基体１ａの下面の端よりも外側に延出した延出部を有しているとともに延出部にネジ止め用の切欠き部１ｄが形成されており、上部金属層１ｃは、外周端が下部金属層１ｂに接している。【選択図】  図１
2005340564.tif 000002
【特許請求の範囲】
【請求項１】
上面の中央部に電子部品の搭載部を有する平板状の放熱部材と、該放熱部材の上面に前記搭載部を取り囲んで取着された、内面から外面に導出される配線導体を有する枠体とを具備しており、前記放熱部材は、平板状の基体と、該基体よりも熱膨張係数および熱伝導率が大きくかつ縦弾性係数が小さい材料から成る、前記基体の上面から側面にかけて形成された上部金属層および前記基体の下面に接合された下部金属板とから成り、前記下部金属板は、前記基体の下面の端よりも外側に延出した延出部を有しているとともに該延出部にネジ止め用の切欠き部が形成されており、前記上部金属層は、外周端が前記下部金属層に接していることを特徴とする電子部品収納用パッケージ。
【請求項２】
請求項１記載の電子部品収納用パッケージと、前記搭載部に搭載されるとともに電極が前記配線導体に電気的に接続された前記電子部品と、前記枠体の上面に前記電子部品を覆うように取着された蓋体または前記枠体の内側に前記電子部品を覆うように充填された封止樹脂とを具備していることを特徴とする電子装置。
【発明の詳細な説明】
【技術分野】
【０００１】
本発明は良好な放熱特性の放熱構造を有する、半導体素子などの電子部品を収納するための電子部品収納用パッケージおよびそれを用いた電子装置に関するものである。
【背景技術】
【０００２】
従来、半導体素子，圧電振動子，チップコンデンサ，トランジスタ，発光素子などの電子部品を収容するための電子部品収納用パッケージ（以下、単にパッケージともいう）は、一般に酸化アルミニウム（Ａｌ２Ｏ３）質焼結体，窒化アルミニウム（ＡｌＮ）質焼結体，ムライト（３Ａｌ２Ｏ３・２ＳｉＯ２）質焼結体，ガラスセラミックス等の電気絶縁材料から成る枠体と、電子部品が搭載されてその動作時に発生する熱を外部もしくは大気中に良好に放散させるための放熱部材と、蓋体とから構成されており、放熱部材の上面の電子部品の搭載部を取り囲むように枠体が配置されているとともに、これら枠体および放熱部材によって形成される凹部の内側から外側にかけて、タングステン（Ｗ），モリブデン（Ｍｏ），マンガン（Ｍｎ），銅（Ｃｕ），銀（Ａｇ）等から成る複数の配線導体が枠体に被着され導出されている。
【０００３】
そして、放熱部材の上面の搭載部に電子部品をガラス，樹脂，ロウ材等の接着剤を介して接着固定するとともに、この電子部品の各電極をボンディングワイヤを介して配線導体に電気的に接続し、しかる後、枠体に蓋体をガラス，樹脂，ロウ材等から成る封止材を介して接合し、放熱部材と枠体と蓋体とから成るパッケージの内部に電子部品を収容することによって製品としての電子装置が構成される。
【０００４】
このようなパッケージにおいて、電界効果トランジスタ（ＦＥＴ）に代表されるような発熱量が大きな電子部品を内部に搭載する場合、半導体素子の作動時に発生する熱を大気中に良好に放散させるために、熱伝導性に優れた放熱部材が備えられている。さらに、半導体素子の温度上昇を抑制する対策として、放熱部材に放熱用フィン等の放熱用治具を取付けて自然空冷あるいはファンによる強制空冷で半導体素子の熱を奪う方法が広く採用されている。
【０００５】
従来の熱伝導性に優れた放熱部材を備えたパッケージの一例を示す断面図を図３に示す。同図において、21は放熱部材、21ｅは電子部品の搭載部、22は枠体、24は蓋体である。放熱部材21は、例えばＭｏの多孔質焼結体に溶融したＣｕを含浸させた金属材料から成る基体21ａの上下両面にそれぞれＣｕ等から成る下部金属層21ｂおよび上部金属層21ｃを設けることで成り、放熱部材21の上側主面の外周部には、載置部21ｅを取り囲むように接合されたアルミナ（Ａｌ２Ｏ３）質焼結体，窒化アルミニウム（ＡｌＮ）質焼結体，ムライト（３Ａｌ２Ｏ３・２ＳｉＯ２）質焼結体，ガラスセラミックス等の電気絶縁材料から成る枠体22が立設されている。この枠体22は、基体21にＡｇロウなどのロウ材を介してロウ付けされることにより設けられる。そして、この放熱部材21の外周部に放熱用フィン等の放熱用治具を取り付けるネジ止め固定用の切欠き部21ｄが設けられる。
【０００６】
枠体22は、上面にメタライズ層から成る配線導体22ａが形成された平板部とこの上面に配線導体22ａの一部を間に挟んで接合された立壁部とからなり、枠体22の外側の露出した配線導体22ａ上には外部リード端子23がＡｇロウなどのロウ材を介して接合されている。
【０００７】
そして、このようなパッケージの載置部21ａに電子部品25を載置固定するとともに配線導体22ａと電子部品25の電極とをボンディングワイヤ等の電気的接続手段26を介して電気的に接続し、枠体22の上面に鉄（Ｆｅ）−ニッケル（Ｎｉ）−コバルト（Ｃｏ）合金などの金属から成る蓋体24を金（Ａｕ）−錫（Ｓｎ）などのロウ材を用いたロウ付け法やシームウエルド法などの溶接法で取着することにより、主にこれら放熱部材21、枠体22、蓋体24および電子部品25から成る製品としての電子装置が構成されている。
【０００８】
この電子装置は、外部電気回路から供給される電気信号によって電子部品25を駆動することで無線基地局などに用いられるパワーアンプモジュール用などの電子装置として機能する。
【０００９】
そして、この電子装置によれば、電子部品25を熱伝導性のよい放熱部材21上に搭載するため、電子部品25が発する熱を放熱部材21を介して外部に効率よく放熱することができ、電子部品25の温度上昇を抑制させることが可能になるというものである。
【００１０】
また、従来の構成において、下部金属層21ｂの下面に半田層（図示せず）が設けられている構成が提案されている。ここで半田層の厚みは、放熱部材21の反り量以上である。すなわち、放熱部材21の反り量が例えば20μｍである場合、半田層の厚みは20μｍ以上である。そして、ネジを用いて放熱用フィン等の放熱治具を放熱部材21の切欠き部21ｄに固定する。このとき、放熱部材21に反りが発生した場合、ネジ止めの外力により半田層が変形してパッケージに生じる歪みが低減され、パッケージや電子部品にクラック等の破損が発生することを防止させることが可能となるというものである（例えば、特許文献１参照）。
【特許文献１】特開2001−177019号公報
【発明の開示】
【発明が解決しようとする課題】
【００１１】
しかしながら、上記従来のパッケージの放熱部材21では、電子部品25から発生した熱は、上部金属層21ｃ，基体21ａ，下部金属層21ｂの順に伝達して外部へ放散されるが、熱伝達経路の途中となる基体21ａにＭｏを含有しているため、発熱量の多い電子部品25を搭載した場合、熱放散性が不十分となって、電子部品25が温度上昇し、電子部品25を長期間にわたり正常かつ安定に作動させることができなくなるという問題点があった。
【００１２】
また、下部金属層21ｂの下面に半田層を設けた場合、放熱部材21と放熱治具との間に半田が存在することとなり、半田によって放熱部材21から放熱治具への熱放散性が低下してしまう。従って、発熱量の多い電子部品25を搭載した場合、電子部品25が温度上昇し、電子部品25を長期間にわたり正常かつ安定に作動させることができなくなってしまうという問題点があった。
【００１３】
また、放熱部材21の切欠き部21ｄを放熱治具にネジ止めする際の外力は、放熱部材21の上部金属層21ｃを経由して枠体22にわずかながら伝わり、近時の小型化されたパッケージの枠体22はこのわずかな外力によってクラック等の破損が生じ易くなっている。そのため、パッケージ内部の気密信頼性が低下して、電子部品25を正常かつ安定に作動させることができなくなってしまうという問題点があった。
【００１４】
従って、本発明は上記従来の問題点に鑑み案出されたものであり、その目的は、電子部品の発した熱をパッケージの外部や大気中に良好に放散させ、パッケージの固定が容易で内部の気密信頼性を低下させることがなく、パッケージ内部の電子部品を長期間にわたり正常かつ安定に作動させることができる電子部品収納用パッケージおよびそれを用いた電子装置を提供することにある。
【課題を解決するための手段】
【００１５】
本発明の電子部品収納用パッケージは、上面の中央部に電子部品の搭載部を有する平板状の放熱部材と、該放熱部材の上面に前記搭載部を取り囲んで取着された、内面から外面に導出される配線導体を有する枠体とを具備しており、前記放熱部材は、平板状の基体と、この基体よりも熱膨張係数および熱伝導率が大きくかつ縦弾性係数が小さい材料から成る、前記基体の上面から側面にかけて形成された上部金属層および前記基体の下面に接合された下部金属板とから成り、前記下部金属板は、前記基体の下面の端よりも外側に延出した延出部を有しているとともにこの延出部にネジ止め用の切欠き部が形成されており、前記上部金属層は、外周端が前記下部金属層に接していることを特徴とする。
【００１６】
本発明の電子装置は、上記本発明の電子部品収納用パッケージと、前記搭載部に搭載されるとともに電極が前記配線導体に電気的に接続された前記電子部品と、前記枠体の上面に前記電子部品を覆うように取着された蓋体または前記枠体の内側に前記電子部品を覆うように充填された封止樹脂とを具備していることを特徴とする。
【発明の効果】
【００１７】
本発明の電子部品収納用パッケージによれば、上面の中央部に電子部品の搭載部を有する平板状の放熱部材と、放熱部材の上面に前記搭載部を取り囲んで取着された、内面から外面に導出される複数の配線導体を有する枠体とを具備しており、放熱部材は、平板状の基体と、基体よりも熱膨張係数および熱伝導率が大きくかつ縦弾性係数が小さい材料から成る、基体の上面から側面にかけて形成された上部金属層および基体の下面に接合された下部金属板とから成り、下部金属板は、基体の下面の端よりも外側に延出した延出部を有しているとともに延出部にネジ止め用の切欠き部が形成されており、上部金属層は、外周端が下部金属層に接していることから、基体が熱伝導率の低い材料から成る場合においても、搭載部に搭載された電子部品から発生する熱は、上部金属層，基体，下部金属層の順に伝達するだけでなく、基体の上面から側面にかけて形成された上部金属層を介して直接下部金属板に伝達させることができるので、下部金属板に効率よく熱を伝達させて、電子部品から発生する熱を下部金属板から効率よく放散させることができる。
【００１８】
また、この構成によって、放熱部材を放熱治具にネジ止めする際に基体に加わる変位は、縦弾性係数の小さい下部金属板で吸収されるため、枠体の接合部にネジ止めする際の外力が作用しないようにすることができる。その結果、枠体および枠体の接合部にクラック等の破損が生じるのを防止し、パッケージ内部の気密信頼性が低下するのを有効に防止することができる。
【００１９】
同時に、下部金属板は縦弾性係数が小さい材料であることから、強固にネジ止めして放熱治具に密着させることができ、下部金属板の下面に半田層を設けなくとも下部金属層から効率よく熱を放散させることができる。
【００２０】
以上の結果、電子部品の発した熱をパッケージの外部や大気中に良好に放散させ、パッケージの固定が容易で内部の気密信頼性を低下させることがなく、パッケージ内部の電子部品を長期間にわたり正常かつ安定に作動させることができる電子部品収納用パッケージを提供することができる。
【００２１】
本発明の電子装置は、上記本発明の電子部品収納用パッケージと、搭載部に搭載されるとともに電極が配線導体に電気的に接続された電子部品と、枠体の上面に電子部品を覆うように取着された蓋体または枠体の内側に電子部品を覆うように充填された封止樹脂とを具備していることから、電子部品の放熱特性が極めて良好な本発明の電子部品収納用パッケージの特徴を備え、長期にわたって安定して電子部品が作動する電子装置を提供することができる。
【発明を実施するための最良の形態】
【００２２】
次に、本発明を添付図面に基づき詳細に説明する。
【００２３】
図１は本発明の電子部品収納用パッケージおよびこれを用いた電子装置の実施の形態の一例を示す断面図であり、１は上面の中央部に電子部品５の搭載部１ｅを有する平板状の放熱部材、１ａは放熱部材１の平板状の基体、１ｂは放熱部材１の基体１ａの下面に接合された下部金属板、１ｃは放熱部材１の基体１ａの上面から側面にかけて形成された上部金属層、２は放熱部材１の上面に搭載部１ｅを取り囲んで取着された枠体、２ａは枠体２の内面から外面に導出されている配線導体、４は枠体２の上面に電子部品５を覆うように取着された蓋体、５は電子部品である。
【００２４】
これら放熱部材１と枠体２とで電子部品５を収納する電子部品収納用パッケージが構成される。また、この放熱部材１の搭載部１ｅに電子部品５を搭載した後に、枠体２の上面に蓋体４を放熱部材１と枠体２とから成る凹部を覆うように取着して電子部品５を封止することにより、または、放熱部材１と枠体２とから成る凹部に電子部品５を覆うように封止樹脂を充填して電子部品５を封止することにより、本発明の電子装置が構成される。
【００２５】
枠体２は、アルミナ（Ａｌ２Ｏ３）質焼結体，窒化アルミニウム（ＡｌＮ）質焼結体，ムライト（３Ａｌ２Ｏ３・２ＳｉＯ２）質焼結体，ガラスセラミックス等から成り、ロウ材を介して放熱部材１の上面に搭載部１ｅを取り囲んで取着される。なお、このロウ材による取着に際しては、ロウ付け用の金属層（図示せず）が枠体２の放熱部材１との接合部に形成されてもよい。また、枠体２は金属から構成されていてもよく、その場合、配線導体２ａを枠体２を構成する金属と絶縁させるために配線導体２ａの周囲をセラミックスや樹脂、ガラス等の絶縁体で覆えばよい。
【００２６】
また、放熱部材１には、その上面の中央部の搭載部１ｅに電子部品５が樹脂，ガラス，ロウ材等の接着材を介して固定される。なお、接着材としてロウ材を用いる場合には、ロウ付け用の金属層（図示せず）が放熱部材１の電子部品５との接合部に形成されてもよい。ただし、放熱部材１の上面の搭載部１ｅに接合された上部金属層１ｃにより十分なロウ付けができる場合には、ロウ付け用の金属層は特に必要ではない。
【００２７】
枠体２は、例えば、Ａｌ２Ｏ３質焼結体から成る場合であれば、Ａｌ２Ｏ３，酸化珪素（ＳｉＯ２），酸化マグネシウム（ＭｇＯ），酸化カルシウム（ＣａＯ）等の原料粉末に適当な有機バインダ，溶剤，可塑剤，分散剤等を混合添加して泥漿状となすとともに、これからドクターブレード法やカレンダーロール法を採用することによってセラミックグリーンシート（セラミック生シート）を形成し、しかる後に、このセラミックグリーンシートに適当な打ち抜き加工を施すとともに、Ｗ，Ｍｏ，Ｍｎ，Ｃｕ，Ａｇ，Ｎｉ，Ａｕ，パラジウム（Ｐｄ）等の金属材料粉末に適当な有機バインダ，溶剤を混合して成る導電性ペーストをグリーンシートに予めスクリーン印刷法等により所定の配線導体２ａのパターンに印刷塗布した後に、このグリーンシートを複数枚積層し、約1600℃の温度で焼成することによって作製される。
【００２８】
また、枠体２には、放熱部材１と枠体２とで構成される凹部の内面（搭載部１ｅ周辺）から枠体２の外面にかけて導出される配線導体２ａが形成されており、配線導体２ａの凹部の内側の一端には電子部品５の各電極がボンディングワイヤ等の電気的接続手段６を介して電気的に接続される。また、枠体２の外側の配線導体２ａの他端には外部電気回路基板との接続用のリード端子３が接続される。
【００２９】
配線導体２ａはＷ，Ｍｏ等の高融点金属から成り、Ｗ，Ｍｏ等の金属粉末に適当な有機バインダ，溶剤等を添加混合して得た金属ペーストを枠体２となるセラミックグリーンシートに予めスクリーン印刷法等によって所定のパターンに印刷塗布しておくことによって、放熱部材１および枠体２による凹部の内面から枠体２の外面にかけて被着形成される。
【００３０】
また、配線導体２ａはその露出する表面にＮｉ，Ａｕ等の耐食性に優れ、かつ電気的接続手段６のボンディング性に優れる金属を１〜20μｍの厚みにメッキ法によって被着させておくと、配線導体２ａの酸化腐食を有効に防止できるとともに配線導体２ａへの電気的接続手段６の接続を強固となすことができる。従って、配線導体２ａは、その露出する表面にＮｉ，Ａｕ等の耐食性に優れ、かつボンディング性に優れる金属を１〜20μｍの厚みに被着させておくことが望ましい。
【００３１】
本発明の放熱部材１は、平板状の基体１ａと、基体１ａよりも熱膨張係数および熱伝導率が大きく縦弾性係数が小さい材料から成り、基体１ａの上面から側面にかけて形成された上部金属層１ｃおよび上部金属層１ｃと同じ材料から成り、基体１ａの下面に接合された下部金属板１ｂとから成り、下部金属板１ｂは、基体１ａの下面の端よりも外側に延出した延出部を有しているとともに延出部にネジ止め用の切欠き部１ｄが形成されており、上部金属層１ｃは、外周端が下部金属板１ｂに接している。
【００３２】
放熱部材１は、電子部品５の作動に伴い発生する熱を吸収するとともに大気中に放散させる、あるいは外部放熱板（図示せず）に伝導させる機能を有する。放熱部材１の一部となる基体１ａは、例えば、Ｍｏ，Ｗ，鉄（Ｆｅ）等またはこれらの合金の金属板を圧延加工，打ち抜き加工等の従来周知の金属加工法を施すことによって形成したり、先ず平均粒径が５〜40μｍのＷ粉末またはＭｏ粉末を基体１ａの形状に加圧成形し、これを1300〜1600℃の雰囲気中で焼結することにより、基体１ａと成る多孔体を予め作製し、この多孔体に水素雰囲気下において約1200℃で10〜50質量％のＣｕを含浸させたりすることにより成る。
【００３３】
このＷまたはＭｏから成る焼結体にＣｕを含浸させて成る基体１ａは、Ｗ単体またはＭｏ単体から成る場合に比べ熱伝導率が向上し、放熱部材１の放熱特性をより優れたものとさせることができるので好適である。
【００３４】
そして、この基体１ａの上面および側面を上部金属層１ｃで覆い、基体１ａの下面に下部金属板１ｂを接合することによって放熱部材１が形成される。上部金属層１ｃおよび下部金属板１ｂは、基体１ａよりも熱膨張係数および熱伝導率が大きく縦弾性係数が小さい材料、例えばＣｕ，Ａｇ，アルミニウム（Ａｌ），Ａｕ，ステンレス鋼（ＳＵＳ）等の金属材料またはこれらの合金から成る。
【００３５】
また好ましくは、図２に示すように、基体１ａの搭載部１ｅの直下に貫通穴10を形成し、この貫通穴10に基体１ａの上面から下面にかけてＣｕ，Ａｇ，Ａｌ等やこれらの合金から成る基体１ａよりも熱膨張係数および熱伝導率が大きく縦弾性係数が小さい材料から成る貫通金属体11を埋設するのがよい。この構成により、電子部品５の発した熱を貫通金属体11を経由して下部金属板１ｂに伝熱させ、パッケージの外部や大気中にさらに良好に放散させることができるようになる。
【００３６】
基体１ａの下面に接合された下部金属板１ｂは、下部金属板１ｂ，をＡｇロウ，Ａｇ−Ｃｕロウ等のロウ材を介して接合することにより形成する。
【００３７】
また、基体１ａの上面から側面にかけて形成される上部金属層１ｃは、例えば、基体１ａにめっき処理をする方法、金属粉末を含む金属ペーストを印刷塗布した後、焼成する方法、あるいは、ＷまたはＭｏから成る焼結体と所定量のＣｕとを同時に加熱してＣｕを溶融させ、毛細管現象によって多孔質の焼結体にＣｕを含浸させるとともに貫通金属体11および上部金属層１ｃを形成する方法によって形成される。また、上部金属層１ｃとなる金属板や箔を基体１ａにＡｇロウ，Ａｇ−Ｃｕロウ等のロウ材や金属粉が含有されている等の熱伝導性のよい接着材を介して接合してもよい。
【００３８】
また、好ましくは、貫通金属体11の外周は、電子部品５の外周より大きくなっているのがよく、これにより、電子部品５で発生した熱を放熱部材１の上面の電子部品５の搭載部１ｅから放熱部材１の下面へと垂直な方向に多く伝えることができるとともに、貫通金属体11内においても電子部品５の外周から外側へ放熱部材１の主面に平行な方向への熱の広がりを持たせることが可能となり、放熱性をより向上させることができる。
【００３９】
また、放熱部材１の下面側、即ち、電子部品５が搭載される搭載部１ｅとは反対側の下部金属板１ｂの下面の算術平均粗さＲａは、Ｒａ≦30（μｍ）であることが好ましい。通常、電子部品収納用パッケージは、ＡｌやＣｕ等の金属体あるいは、高熱伝導を有するセラミック体から成る支持基板へネジ止めにより接続される。このとき、基体１ａの下面の下部金属層１ｂの下面の算術平均粗さＲａがＲａ＞30（μｍ）の場合には、電子部品収納用パッケージと支持基板とを十分に密着させることが困難となり電子部品５で発生した熱を電子部品収納用パッケージからこの支持基板へ効率よく伝達させることができなくなるおそれがある。従って、下面の下部金属層１ｂの外側表面と成る下面は、支持基板との良好な密着性が得られるように、Ｒａ≦30（μｍ）の平滑面であることが望ましい。
【００４０】
なお、放熱部材１の基体１ａの上下面に形成される下部金属層１ｂおよび上部金属層１ｃの材料がＣｕから成るときは、純Ｃｕに限られるものではなく、熱伝導性が良好でＷまたはＭｏ等の金属またはこれらとＣｕとのマトリックスである基体１ａと十分な接合強度が得られるものであれば、Ｃｕを主成分とする各種のＣｕ合金であっても構わない。これは、Ｃｕから成る貫通金属体11についても同様である。
【００４１】
また、Ａｇ，Ａｌ等の基体１ａよりも熱膨張係数および熱伝導率が大きく縦弾性係数が小さい他の材料についても上記同様に純金属である必要はない。
【００４２】
また、上部金属層１ｃは、基体１ａの側面の全周にわたって下部金属板１ｂに接している必要はなく、一部分でも上部金属層１ｃが下部金属板１ｂに接していればよい。例えば、基体１ａが四角形である場合、対向する２辺の基体１ａの側面で、上部金属層１ｃが下部金属板１ｂに接していればよい。この構成においても、電子部品５から発生する熱を下部金属板１ｂから十分効率よく放散させることができる。
【００４３】
かくして、上述のパッケージによれば、放熱部材１の搭載部１ｅ上に電子部品５をガラス，樹脂，ロウ材等から成る接着材を介して接着固定するとともに、電子部品５の各電極をボンディングワイヤ等の電気的接続手段６を介して所定の配線導体２ａに電気的に接続し、しかる後に、放熱部材１と枠体２とから成る凹部の内側に電子部品５を覆うようにエポキシ樹脂等の封止樹脂を充填して電子部品５を封止することによって、あるいは、樹脂や金属，セラミックス等から成る蓋体４を枠体２の上面に凹部を覆うように取着して電子部品５を封止することによって製品としての電子装置となる。
【００４４】
なお、本発明は以上の実施の形態の例に限定されるものではなく、本発明の要旨を逸脱しない範囲であれば種々の変更が可能である。例えば、放熱部材１の上面の搭載部１ｅにディスクリートな電子部品５の代わりに枠体２の機能を兼ね備えたセラミックス製の回路基板が搭載され、この回路基板に電子部品５が搭載されていてもよい。この構成により、回路基板にクラック等の破損を発生させることなく、回路基板に搭載される電子部品５から発生する熱を効率よく放散できるものとなる。
【図面の簡単な説明】
【００４５】
【図１】本発明の電子部品収納用パッケージおよびそれを用いた本発明の電子装置の実施の形態の一例を示す断面図である。
【図２】本発明の電子部品収納用パッケージおよびそれを用いた本発明の電子装置の実施の形態の他の例を示す断面図である。
【図３】従来の電子装置の例を示す断面図である。
【符号の説明】
【００４６】
１：放熱部材
１ａ：基体
１ｂ：下部金属板
１ｃ：上部金属層
１ｄ：切欠き部
１ｅ：搭載部
２：枠体
２ａ：配線導体
４：蓋体
５：電子部品
【図１】
2005340564.tif 000003
【図２】
2005340564.tif 000004
【図３】
2005340564.tif 000005